(57)【要約】【課題】住戸の居室に設けられる各種センサのうちの定期検査が必要な温湿度検出手段の検出機能を管理側の作業者が現地に赴かなくとも自動点検し得る生活見守りシステムを提供する。【解決手段】このシステムの見守りセンタ１４では、住戸（１０１号室１ａ、１０２号室１ｂ、１０３号室１ｃ）の居室の寝室２ａ〜２ｃ、居間３ａ〜３ｃに設置された各種センサの検出結果を住戸用ホームサーバ１２ａ、１２ｂ、１２ｃからネットワーク網１３経由で取得してホストコンピュータ１６が見守り用信号処理を行う以外、地域別に予め設定される所定の期間での深夜の時間帯に居室を識別して居室毎に人感センサ（５ａ〜５ｃ、７ａ〜７ｃ）からの見守り対象者の在宅の有無に応じて温湿度センサ（４ａ〜４ｃ、６ａ〜６ｃ）からの温湿度検出値を平均化した平均値を算出した統計値が所定の誤差許容値の範囲内であるか否かを判断して温湿度センサに係る検出機能を点検する。【選択図】図１
2016062360.tif 000002
【特許請求の範囲】
【請求項１】
見守り対象者が生活する建物の住戸の所定箇所に識別可能に設置されて当該見守り対象者の在宅の有無を検出する在宅検出手段と、前記住戸の居室毎に識別可能に設置されて当該居室内の温度を検出する温度検出手段又は温湿度を検出する温湿度検出手段と、前記住戸の所定箇所に設置されて前記在宅検出手段と前記温度検出手段又は前記温湿度検出手段とに係る検出結果を収集して管理するサーバ機能の住戸見守り装置と、前記住戸見守り装置とネットワーク接続されて遠隔地に設置されると共に、当該住戸見守り装置へ異常通知用パラメータを送信するホスト機能の見守りセンタと、前記住戸見守り装置及び前記見守りセンタとネットワーク接続されて遠隔地の見守り者宅に設置される端末機能の監視装置と、を備えた生活見守りシステムにおいて、
前記見守りセンタは、地域別に予め設定される所定の期間での所定の時間帯に前記居室を識別して前記温度検出手段又は前記温湿度検出手段に係る検出機能を点検することを特徴とする生活見守りシステム。
【請求項２】
請求項１記載の生活見守りシステムにおいて、
前記所定の時間帯は、深夜の時間帯であり、前記温度検出手段又は前記温湿度検出手段の検出機能の点検は、前記居室を識別して当該居室毎に前記在宅検出手段からの検出結果の前記見守り対象者の在宅の有無に応じて前記温度検出手段又は前記温湿度検出手段からの検出結果の温度検出値又は温湿度検出値を平均化した平均値又は最も頻度の高い最頻値を算出した統計値が所定の誤差許容値の範囲内であるか否かを判断して行うことを特徴とする生活見守りシステム。
【請求項３】
請求項２記載の生活見守りシステムにおいて、前記在宅検出手段は、前記居室毎に設けられて人の動作状態を検出した結果として、動作有りで在宅を示す旨の信号を出力すると共に、動作無しで不在を示す旨の信号を出力する人感センサ、或いは当該居室の前記住戸における出入口の扉外部に設けられて施錠状態を検出した結果として、外側から施錠されると不在を示す旨の信号を出力すると共に、外側から開錠されると在宅を示す旨の信号を出力する施錠センサであることを特徴とする生活見守りシステム。
【発明の詳細な説明】
【技術分野】
【０００１】
本発明は、見守り対象者が生活する集合住宅等の建物の住戸に存在する居室に設置されると共に、在宅時の高温状態又は高温多湿状態で検出信号を出力して監視装置への通報用に供される温度検出手段又は温湿度検出手段を備えた生活見守りシステムに関する。
【背景技術】
【０００２】
近年、高齢化社会の到来により高齢者世帯向けの各種サービスが提案されている。例えば、地域社会での老人世帯を見守るサービスとして、老人世帯に非常呼びボタンを設置し、この非常呼びボタンが押下操作されたときに非常通報として受信するコンピュータ管理機能のセンタを地域内の或る施設（例えば消防署等）に設置し、老人が生活上で体調不良や自ら対処できない不具合を発生した場合に非常呼びボタンを押下して貰うことにより、非常通報を受信したセンタ側から施設員（消防署員）を現地に緊急派遣させて対策を実施するようにしたシステムが知られている。
【０００３】
このような老人世帯を見守るサービスを提供するシステムに関連する周知技術として、高齢者などの見守り対象者宅で発生する異常を各高齢者の生活状況に合わせて検出し、サービス利用者に通知することのできる「生活見守りシステム」（特許文献１参照）が挙げられる。
【先行技術文献】
【特許文献】
【０００４】
【特許文献１】特開２００４−２８７７７０号公報
【発明の概要】
【発明が解決しようとする課題】
【０００５】
上述した特許文献１記載の技術では、個人に適応させる生活見守りシステムとして、居室内の健康を害する高温高湿状態や低温状態を検出する温湿度センサや温度センサ、並びに人感知センサ等の各種センサを含む宅内装置を宅内の所定箇所に設け、宅内装置がネットワーク網を経由して見守りセンタから送信された異常通知用パラメータと各種センサからのセンサ情報とに基づいて在宅老人の異常を検出したときに見守り者宅のパーソナルコンピュータに通知する機能を実現しているが、ここでは各種センサの保守点検性、特に定期的に点検を実施する必要がある温湿度センサや温度センサの検出機能（測定精度）の点検性について全く考慮されていないため、居住環境によってシステム管理側の作業者が定期的に実施する保守点検作業を実施し難い事態に直面する機会が多くなっていても、こうした問題を対策することができない。
【０００６】
即ち、システム管理側の作業者が定期的に保守点検作業を行う場合には、宅内装置の温湿度センサや温度センサが設置してある全ての居室に入退出する必要があるが、例えば住戸居住環境が集合住宅（マンション）や共同住宅であれば、住戸に居室が多数存在するために作業が大変になってしまうばかりでなく、入居者の在室時にのみ入室して作業を実施するために不在のときには再度訪問する等の対処を行う必要があって、一斉に点検を実施し難い場合が多くて作業済みか否かの管理が煩雑となってしまう他、見守り対象の入居者が作業者の入退室を不快に感じることもあるため、作業者側にも精神的、肉体的な疲労を伴う場合も少なくないという事情がある。
【０００７】
本発明は、このような問題点を解決すべくなされたもので、その技術的課題は、住戸の居室に設けられる各種センサのうちの定期検査が必要とされる温度検出手段又は温湿度検出手段の検出機能をシステム管理側の作業者が現地に赴かなくとも自動点検し得る生活見守りシステムを提供することにある。
【課題を解決するための手段】
【０００８】
上記技術的課題を解決するため、本発明は、見守り対象者が生活する建物の住戸の所定箇所に識別可能に設置されて当該見守り対象者の在宅の有無を検出する在宅検出手段と、住戸の居室毎に識別可能に設置されて当該居室内の温度を検出する温度検出手段又は温湿度を検出する温湿度検出手段と、住戸の所定箇所に設置されて在宅検出手段と温度検出手段又は温湿度検出手段とに係る検出結果を収集して管理するサーバ機能の住戸見守り装置と、住戸見守り装置とネットワーク接続されて遠隔地に設置されると共に、当該住戸見守り装置へ異常通知用パラメータを送信するホスト機能の見守りセンタと、住戸見守り装置及び見守りセンタとネットワーク接続されて遠隔地の見守り者宅に設置される端末機能の監視装置と、を備えた生活見守りシステムにおいて、見守りセンタは、地域別に予め設定される所定の期間での所定の時間帯に居室を識別して温度検出手段又は温湿度検出手段に係る検出機能を点検することを特徴とする。
【発明の効果】
【０００９】
本発明の生活見守りシステムによれば、上記構成により、住戸の居室に設けられる各種センサのうちの定期検査が必要とされる温度検出手段又は温湿度検出手段の検出機能をシステム管理側の作業者が現地に赴かなくとも自動点検し得るようになる。上記した以外の課題、構成及び効果は、以下の実施の形態の説明により明らかにされる。
【図面の簡単な説明】
【００１０】
【図１】本発明の実施例１に係る生活見守りシステムの全体的配置構成を示した概略図である。
【図２】図１に示す生活見守りシステムに備えられる見守りセンタによる住戸見守り装置と協働しての温湿度センサの検出機能の点検に係る動作処理を示したフローチャートである。
【図３】本発明の実施例２に係る生活見守りシステムの全体的配置構成を示した概略図である。
【図４】図３に示す生活見守りシステムに備えられる見守りセンタによる住戸見守り装置と協働しての温湿度センサの検出機能の点検に係る動作処理を示したフローチャートである。
【発明を実施するための形態】
【００１１】
以下に、本発明の生活見守りシステムについて、幾つかの実施例を挙げ、図面を参照して詳細に説明する。
【実施例１】
【００１２】
図１は、本発明の実施例１に係る生活見守りシステムの全体的配置構成を示した概略図である。
【００１３】
図１を参照すれば、実施例１に係る生活見守りシステムは、高齢者等の見守り対象者が生活する建物の住戸居住環境が集合住宅（マンション）や共同住宅の場合に該当し、住戸が１０１号室１ａ、１０２号室１ｂ、１０３号室１ｃの３つに区分され、１０１号室１ａには寝室２ａ、居間３ａの２つの居室が存在し、１０２号室１ｂにも同様な寝室２ｂ、居間３ｂが存在し、１０３号室１ｃにも同様に寝室２ｃ、居間３ｃが存在する場合を例示しており、居室毎に識別可能に１０１号室１ａの寝室２ａには居室内の温湿度を検出して寝室温湿度センサ信号８ａを出力する温湿度検出手段としての寝室温湿度センサ４ａ、並びに見守り対象者の在宅の有無を検出して寝室人感センサ信号９ａを出力する在宅検出手段としての寝室人感センサ５ａが設けられ、居間３ａには同様な居間温湿度センサ信号１０ａを出力する居間温湿度センサ６ａ、並びに同様な居間人感センサ信号１１ａを出力する居間人感センサ７ａが設けられており、これらの各種センサ（４ａ、５ａ、６ａ、７ａ）の検出結果（各種センサ信号８ａ、９ａ、１０ａ、１１ａ）は住戸の所定箇所に設置されるサーバ機能の住戸見守り装置である１０１号室ホームサーバ１２ａで入力収集して管理され、１０２号室１ｂの寝室２ｂにも同様に寝室温湿度センサ信号８ｂを出力する寝室温湿度センサ４ｂ、並びに同様に寝室人感センサ信号９ｂを出力する寝室人感センサ５ｂが設けられ、居間３ｂにも同様に居間温湿度センサ信号１０ｂを出力する居間温湿度センサ６ｂ、並びに同様に居間人感センサ信号１１ｂを出力する居間人感センサ７ｂが設けられており、これらの各種センサ（４ｂ、５ｂ、６ｂ、７ｂ）の検出結果（各種センサ信号８ｂ、９ｂ、１０ｂ、１１ｂ）も同様な機能の１０２号室ホームサーバ１２ｂで入力収集して管理され、１０３号室１ｃの寝室２ｃにも同様に寝室温湿度センサ信号８ｃを出力する寝室温湿度センサ４ｃ、並びに同様に寝室人感センサ信号９ｃを出力する寝室人感センサ５ｃが設けられ、居間３ｃにも同様に居間温湿度センサ信号１０ｃを出力する居間温湿度センサ６ｃ、並びに同様に居間人感センサ信号１１ｃを出力する居間人感センサ７ｃが設けられており、これらの各種センサ（４ｃ、５ｃ、６ｃ、７ｃ）の検出結果（各種センサ信号８ｃ、９ｃ、１０ｃ、１１ｃ）も同様な機能の１０３号室ホームサーバ１２ｃで入力収集して管理されるようになっている他、住戸見守り装置（１０１号室ホームサーバ１２ａ、１０２号室ホームサーバ１２ｂ、１０３号室ホームサーバ１２ｃ）とネットワーク網１３によりネットワーク接続されて遠隔地に設置されるホスト機能の見守りセンタ１４がネットワーク網１３を経由して住戸見守り装置（１０１号室ホームサーバ１２ａ、１０２号室ホームサーバ１２ｂ、１０３号室ホームサーバ１２ｃ）へ異常通知用パラメータを送信し、住戸見守り装置（１０１号室ホームサーバ１２ａ、１０２号室ホームサーバ１２ｂ、１０３号室ホームサーバ１２ｃ）がネットワーク網１３を経由して見守りセンタ１４から送信された異常通知用パラメータと各種センサ（４ａ〜４ｃ、５ａ〜５ｃ、６ａ〜６ｃ、７ａ〜７ｃ）からのセンサ情報とに基づいて居室の異常を検出したときに、住戸見守り装置（１０１号室ホームサーバ１２ａ、１０２号室ホームサーバ１２ｂ、１０３号室ホームサーバ１２ｃ）及び見守りセンタ１４とネットワーク網１３によりネットワーク接続されて遠隔地の見守り者宅に設置されるパーソナルコンピュータによる端末機能の監視装置（サービス提供事業者用集中監視端末１８、１０１号室入居者用表示装置１９ａ、１０２号室入居者用表示装置１９ｂ、及び１０３号室入居者用表示装置１９ｃを含む構成）に通知する機能を有する点は特許文献１のシステムの場合とほぼ同様な機能構成となっているが、ここでは見守りセンタ１４が地域別に予め設定される所定の期間での所定の時間帯（好ましくは深夜の時間帯）に居室（寝室２ａ〜２ｃ、居間３ａ〜３ｃ）を識別して温湿度センサ（４ａ〜４ｃ、６ａ〜６ｃ）に係る検出機能を点検する機能が持たされている。因みに、上述した寝室人感センサ５ａ〜５ｃ、並びに居間人感センサ７ａ〜７ｃは、人の動作状態を検出した結果として、動作有りで在宅を示す旨の信号を出力すると共に、動作無しで不在を示す旨の信号を出力する。
【００１４】
この生活見守りシステムでは、各種センサ（４ａ〜４ｃ、５ａ〜５ｃ、６ａ〜６ｃ、７ａ〜７ｃ）からのセンサ情報を含む各種センサ信号（８ａ〜８ｃ、９ａ〜９ｃ、１０ａ〜１０ｃ、１１ａ〜１１ｃ）が１０１号室ホームサーバ１２ａ、１０２号室ホームサーバ１２ｂ、１０３号室ホームサーバ１２ｃからネットワーク網１３を経由して見守りセンタ１４のデータ入出力制御部１５に送られ、ここから更に伝送されたホストコンピュータ１６で見守り用の信号処理が行われ、その見守り処理の結果（異常通知用パラメータを含む）がデータベース１７に格納されると共に、監視側のサービス事業者向けにサービス提供事業者用集中監視端末１８の表示部に表示される他、別個にネットワーク網１３に接続されたスマートフォンタイプの１０１号室入居者用表示装置１９ａ、１０２号室入居者用表示装置１９ｂ、及び１０３号室入居者用表示装置１９ｃの表示にも供される。因みに、見守りセンタ１４の入力部２０はホストコンピュータ１６に対してデータを入力するキーボード及びポインティングデバイス等を備えて構成されるもので、表示部２１はホストコンピュータ１６からのデータを表示するＬＣＤ装置等から構成される。
【００１５】
ところで、見守りセンタ１４のホストコンピュータ１６による見守り用の信号処理は、上述した温湿度センサ（寝室温湿度センサ４ａ〜４ｃ、居間温湿度センサ６ａ〜６ｃ）に係る検出機能を点検する機能に適用させることができる。この場合、地域別に予め設定される所定の期間での深夜の時間帯で居室（寝室２ａ〜２ｃ、居間３ａ〜３ｃ）を識別して居室毎に人感センサ（寝室人感センサ５ａ〜５ｃ、居間人感センサ７ａ〜７ｃ）からの検出結果の見守り対象者の在宅（在室）の有無に応じて温湿度センサ（寝室温湿度センサ４ａ〜４ｃ、居間温湿度センサ６ａ〜６ｃ）の検出結果の温湿度検出値を平均化した平均値又は最も頻度の高い最頻値を算出した統計値が所定の誤差許容値の範囲内であるか否かを判断して検出機能の点検を行う。因みに、ここでの温湿度センサに代えて温度検出手段としての温度センサが設けられた場合にも、同様に温度検出値を平均化した平均値又は最も頻度の高い最頻値を算出した統計値を代用させることができる。勿論、見守りセンタ１４のホストコンピュータ１６による温湿度センサ（寝室温湿度センサ４ａ〜４ｃ、居間温湿度センサ６ａ〜６ｃ）に係る検出機能の点検結果についても、ホストコンピュータ１６に接続された表示部２１やサービス事業者向けにサービス提供事業者用集中監視端末１８の表示部に表示される他、別個にネットワーク網１３に接続されたスマートフォンタイプの１０１号室入居者用表示装置１９ａ、１０２号室入居者用表示装置１９ｂ、及び１０３号室入居者用表示装置１９ｃの該当するものに対する表示にも供される。
【００１６】
図２は、実施例１に係る生活見守りシステムに備えられる見守りセンタ１４による住戸見守り装置（１０１号室ホームサーバ１２ａ、１０２号室ホームサーバ１２ｂ、１０３号室ホームサーバ１２ｃ）と協働しての温湿度センサ（寝室温湿度センサ４ａ〜４ｃ、居間温湿度センサ６ａ〜６ｃ）の検出機能の点検に係る動作処理を示したフローチャートである。
【００１７】
図２を参照すれば、実施例１に係る生活見守りシステムの点検に係る動作処理では、最初に見守りセンタ１４のホストコンピュータ１６が地域別に予め設定される所定の期間を示す中間期であるか否かの判定（ステップ１）を行う。この判定の結果、中間期でなければそのまま動作処理を終了するが、中間期であれば温湿度センサ（寝室温湿度センサ４ａ〜４ｃ、居間温湿度センサ６ａ〜６ｃ）の検出機能の点検を行うべく、所定の時間帯（深夜の時間帯）として早朝の０２：００〜０３：００の時間範囲内であるか否かの判定（ステップ２）を行う。この判定の結果、０２：００〜０３：００の時間範囲内でなければそのまま動作処理を終了するが、０２：００〜０３：００の時間範囲内であれば次の処理に移行する。尚、ここで云う中間期は地域別の時季に応じて異なる態様となり得るが、地域別に決定される期間（例えば温湿度管理が高齢者の健康上で余り重要でない５月頃の或る週に実施する場合を例示できる）を示すものである。
【００１８】
次の処理では、見守りセンタ１４が１０１号室ホームサーバ１２ａ、１０２号室ホームサーバ１２ｂ、１０３号室ホームサーバ１２ｃからネットワーク網１３を経由してデータ入出力制御部１５から全寝室２ａ〜２ｃの寝室人感センサ５ａ〜５ｃの動作の有無を寝室人感センサ信号９ａ〜９ｃに基づいて入力（動作＝在室、不動作＝不在）しホストコンピュータ１６がデータベース１７にデータを保存する（ステップ３）処理を行った後、同様な手順で全寝室２ａ〜２ｃの寝室温湿度センサ４ａ〜４ｃによる検出結果の温度と湿度を寝室温湿度センサ信号８ａ〜８ｃに基づいて測定しデータベース１７にデータを保存する（ステップ４）。更に、見守りセンタ１４が１０１号室ホームサーバ１２ａ、１０２号室ホームサーバ１２ｂ、１０３号室ホームサーバ１２ｃからネットワーク網１３を経由してデータ入出力制御部１５から全居間３ａ〜３ｃの居間人感センサ７ａ〜７ｃの動作の有無を居間人感センサ信号１１ａ〜１１ｃに基づいて入力（動作＝在室、不動作＝不在）しホストコンピュータ１６がデータベース１７にデータを保存する（ステップ５）処理を行った後、同様な手順で全居間３ａ〜３ｃの居間温湿度センサ６ａ〜６ｃによる検出結果の温度と湿度を居間温湿度センサ信１０ａ〜１０ｃに基づいて測定しデータベース１７にデータを保存する（ステップ６）。この結果、以上の処理で全居室（寝室２ａ〜２ｃ、居間３ａ〜３ｃ）の同一日時の在室および不在と温度および湿度情報のデータベース１７を作成する（ステップ７）。
【００１９】
更に、見守りセンタ１４のホストコンピュータ１６では、データベース１７のデータに基づいて在室の寝室２ａ〜２ｃの湿度および温度の統計値を求める（ステップ８）処理、不在の寝室２ａ〜２ｃの湿度および温度の統計値を求める（ステップ９）処理、在室の居間３ａ〜３ｃの湿度および温度の統計値を求める（ステップ１０）処理、不在の居間３ａ〜３ｃの湿度および温度の統計値を求める（ステップ１１）処理を順次行う。ここでの統計値は、何れも平均値か最頻値を用いるものとする。そこで、ホストコンピュータ１６は、在室の寝室２ａ〜２ｃの湿度および温度の統計値±誤差許容値を超える測定結果の寝室温湿度センサ４ａ〜４ｃを抽出し発生日と共にデータベース１７にデータを保存する（ステップ１２）処理、不在の寝室２ａ〜２ｃの湿度および温度の統計値±誤差許容値を超える測定結果の寝室温湿度センサ４ａ〜４ｃを抽出し発生日と共にデータベース１７にデータを保存する（ステップ１３）処理、在室の居間３ａ〜３ｃの湿度および温度の統計値±誤差許容値を超える測定結果の居間温湿度センサ６ａ〜６ｃを抽出し発生日と共にデータベース１７にデータを保存する（ステップ１４）処理、不在の居間３ａ〜３ｃの湿度および温度の統計値±誤差許容値を超える測定結果の居間温湿度センサ６ａ〜６ｃを抽出し発生日と共にデータベース１７にデータを保存する（ステップ１５）処理を順次行う。
【００２０】
この後、ホストコンピュータ１６は、ステップ１２〜ステップ１５の処理で５日間連続で誤差許容値を越えたセンサがあるか否かの判定（ステップ１６）を行う。この判定の結果、５日間連続で誤差許容値を越えたセンサがなければそのまま動作処理を終了するが、５日間連続で誤差許容値を越えたセンサがあればその５日間連続で誤差許容値を越えたセンサ（寝室温湿度センサ４ａ〜４ｃ、居間温湿度センサ６ａ〜６ｃの何れかを示す）とそのセンサについての温湿度の測定値と統計値をサービス提供事業者用集中監視端末１８の表示部に表示する（ステップ１７）処理を行ってから動作処理を終了する。このとき、同時に上述したようにホストコンピュータ１６に接続された表示部２１や別個にネットワーク網１３に接続された１０１号室入居者用表示装置１９ａ、１０２号室入居者用表示装置１９ｂ、及び１０３号室入居者用表示装置１９ｃの該当するものに対しても表示が行われる。これにより、システム管理側の作業者（サービス提供事業者）は、誤差許容値を越えたセンサのみを対象として現地に赴き、点検又は交換を行う保守点検を行えば良いので、従来の手間と比べれば格段に作業者の精神的、肉体的な負担が軽減されることになる。即ち、実施例１に係る生活見守りシステムによれば、定期検査が必要とされる温湿度検出手段（寝室温湿度センサ４ａ〜４ｃ、居間温湿度センサ６ａ〜６ｃ）の検出機能をシステム管理側の作業者が現地に赴かなくとも自動で点検する機能が持たされるため、点検結果で問題のある必要最小限のセンサのみを対象として保守点検を行うだけで済むようになる。
【実施例２】
【００２１】
図３は、本発明の実施例２に係る生活見守りシステムの全体的配置構成を示した概略図である。
【００２２】
図３を参照すれば、実施例２に係る生活見守りシステムは、実施例１の場合のシステム構成と比べ、住戸の１０１号室１ａ、１０２号室１ｂ、１０３号室１ｃの居室である寝室２ａ〜２ｃ及び居間３ａ〜３ｃに設置された在宅検出手段としての寝室人感センサ５ａ〜５ｃ及び居間人感センサ７ａ〜７ｃを使用しない代わり、別な在宅検出手段として、１０１号室１ａ、１０２号室１ｂ、１０３号室１ｃにおける出入口の扉外部となる１０１号室玄関ドア２０ａ、１０２号室玄関ドア２０ｂ、１０３号室玄関ドア２０ｃに設けられた施錠センサ（施錠状態を検出した結果として、外側から施錠されると不在を示す旨の信号を出力すると共に、外側から開錠されると在宅を示す旨の信号を出力する）である１０１号室施錠センサ２１ａ、１０２号室施錠センサ２１ｂ、１０３号室施錠センサ２１ｃを使用し、１０１号室施錠センサ２１ａからの１０１号室扉外部施錠センサ信号２２ａを１０１号室ホームサーバ１２ａが入力収集して管理し、同様に１０２号室施錠センサ２１ｂからの１０２号室扉外部施錠センサ信号２２ｂを１０２号室ホームサーバ１２ｂが入力収集して管理し、同様に１０３号室施錠センサ２１ｃからの１０３号室扉外部施錠センサ信号２２ｃを１０３号室ホームサーバ１２ｃが入力収集して管理するようにした以外は同様な構成となっている。
【００２３】
図４は、実施例２に係る生活見守りシステムに備えられる見守りセンタ１４による住戸見守り装置（１０１号室ホームサーバ１２ａ、１０２号室ホームサーバ１２ｂ、１０３号室ホームサーバ１２ｃ）と協働しての温湿度センサ（寝室温湿度センサ４ａ〜４ｃ、居間温湿度センサ６ａ〜６ｃ）の検出機能の点検に係る動作処理を示したフローチャートである。
【００２４】
図４を参照すれば、実施例２に係る生活見守りシステムの点検に係る動作処理では、最初に見守りセンタ１４のホストコンピュータ１６が地域別に予め設定される所定の期間を示す中間期であるか否かの判定（ステップ２１）を行う。この判定の結果、中間期でなければそのまま動作処理を終了するが、中間期であれば温湿度センサ（寝室温湿度センサ４ａ〜４ｃ、居間温湿度センサ６ａ〜６ｃ）の検出機能の点検を行うべく、所定の時間帯（深夜の時間帯）として早朝の０２：００〜０３：００の時間範囲内であるか否かの判定（ステップ２２）を行う。この判定の結果、０２：００〜０３：００の時間範囲内でなければそのまま動作処理を終了するが、０２：００〜０３：００の時間範囲内であれば次の処理に移行する。尚、ここで云う中間期についても、地域別の時季に応じて決定される異なる期間を示すものとなる。
【００２５】
次の処理では、見守りセンタ１４が１０１号室ホームサーバ１２ａ、１０２号室ホームサーバ１２ｂ、１０３号室ホームサーバ１２ｃからネットワーク網１３を経由してデータ入出力制御部１５から全扉外部施錠センサ（１０１号室施錠センサ２１ａ、１０２号室施錠センサ２１ｂ、１０３号室施錠センサ２１ｃ）の全扉外部施錠センサ信号（１０１号室扉外部施錠センサ信号２２ａ、１０２号室扉外部施錠センサ信号２２ｂ、１０３号室扉外部施錠センサ信号２２ｃ）の最終動作信号を入力（施錠＝不在、開錠＝在室）しホストコンピュータ１６がデータベース１７にデータを保存する（ステップ２３）処理を行った後、実施例１の場合と同様に全寝室２ａ〜２ｃの寝室温湿度センサ４ａ〜４ｃによる検出結果の温度と湿度を寝室温湿度センサ信号８ａ〜８ｃに基づいて測定しデータベース１７にデータを保存する（ステップ２４）。更に、見守りセンタ１４が１０１号室ホームサーバ１２ａ、１０２号室ホームサーバ１２ｂ、１０３号室ホームサーバ１２ｃからネットワーク網１３を経由してデータ入出力制御部１５から実施例１の場合と同様に全居間３ａ〜３ｃの居間温湿度センサ６ａ〜６ｃによる検出結果の温度と湿度を居間温湿度センサ信１０ａ〜１０ｃに基づいて測定しデータベース１７にデータを保存する（ステップ２５）。この結果、以上の処理で全居室（寝室２ａ〜２ｃ、居間３ａ〜３ｃ）の同一日時の在室および不在と温度および湿度情報のデータベース１７を作成する（ステップ２６）。
【００２６】
更に、見守りセンタ１４のホストコンピュータ１６では、データベース１７のデータに基づいて在室の寝室２ａ〜２ｃの湿度および温度の統計値を求める（ステップ２７）処理、不在の寝室２ａ〜２ｃの湿度および温度の統計値を求める（ステップ２８）処理、居間３ａ〜３ｃは不在と判断し不在の居間３ａ〜３ｃの湿度および温度の統計値を求める（ステップ２９）処理を順次行う。ここでの統計値についても、平均値か最頻値を用いるものとする。また、実施例２の生活見守りシステムについても、温湿度センサに代えて温度検出手段としての温度センサが設けられた場合にも、同様に温度検出値を平均化した平均値又は最も頻度の高い最頻値を算出した結果の統計値を代用させることができる。そこで、ホストコンピュータ１６は、在室の寝室２ａ〜２ｃの湿度および温度の統計値±誤差許容値を超える測定結果の寝室温湿度センサ４ａ〜４ｃを抽出し発生日と共にデータベース１７にデータを保存する（ステップ３０）処理、不在の寝室２ａ〜２ｃの湿度および温度の統計値±誤差許容値を超える測定結果の寝室温湿度センサ４ａ〜４ｃを抽出し発生日と共にデータベース１７にデータを保存する（ステップ３１）処理、不在の居間３ａ〜３ｃの湿度および温度の統計値±誤差許容値を超える測定結果の居間温湿度センサ６ａ〜６ｃを抽出し発生日と共にデータベース１７にデータを保存する（ステップ３２）処理を順次行う。
【００２７】
この後、ホストコンピュータ１６は、ステップ３０〜ステップ３２の処理で５日間連続で誤差許容値を越えたセンサがあるか否かの判定（ステップ３３）を行う。この判定の結果、５日間連続で誤差許容値を越えたセンサがなければそのまま動作処理を終了するが、５日間連続で誤差許容値を越えたセンサがあればその５日間連続で誤差許容値を越えたセンサ（寝室温湿度センサ４ａ〜４ｃ、居間温湿度センサ６ａ〜６ｃの何れかを示す）とそのセンサについての温湿度の測定値と統計値をサービス提供事業者用集中監視端末１８の表示部に表示する（ステップ３４）処理を行ってから動作処理を終了する。このとき、同時に上述したようにホストコンピュータ１６に接続された表示部２１や別個にネットワーク網１３に接続された１０１号室入居者用表示装置１９ａ、１０２号室入居者用表示装置１９ｂ、及び１０３号室入居者用表示装置１９ｃの該当するものに対しても表示が行われる。これにより、システム管理側の作業者（サービス提供事業者）は、誤差許容値を越えたセンサのみを対象として現地に赴き、点検又は交換を行う保守点検を行えば良いので、従来の手間と比べれば格段に作業者の精神的、肉体的な負担が軽減されることになる。即ち、実施例２に係る生活見守りシステムによっても、実施例１のシステム構成の場合と同様に定期検査が必要とされる温湿度検出手段（寝室温湿度センサ４ａ〜４ｃ、居間温湿度センサ６ａ〜６ｃ）の検出機能をシステム管理側の作業者が現地に赴かなくとも自動で点検する機能が持たされるため、点検結果で問題のある必要最小限のセンサのみを対象として保守点検を行うだけで済むようになる。
【００２８】
尚、各実施例で説明した生活見守りシステムでは、建物の住戸居住環境が集合住宅（マンション）や共同住宅である場合を対象とし、住戸が３つの号室（１０１号室１ａ、１０２号室１ｂ、１０３号室１ｃ）に区分され、各号室に寝室２ａ、居間３ａの２つの居室が存在する場合を説明したが、住戸が２つの号室や４つ以上の号室に区分され、更に各号室に３つ以上の居室が存在する場合にも同様に適用させることができる。また、各居室に温湿度検出手段や温度検出手段を１つ設置した構成を説明したが、各居室が相当に広い場合には２つ以上の温湿度検出手段や温度検出手段を設置しても良いので、こうした場合にも各居室に対応するものとして識別可能にしておけば同様に検出機能の点検を自動で行わせることが可能である。このように、本発明の生活見守りシステムは、様々な変更が可能であるため、各実施例で開示した形態に限定されない。
【符号の説明】
【００２９】
１ａ  １０１号室
１ｂ  １０２号室
１ｃ  １０３号室
２ａ、２ｂ、２ｃ  寝室
３ａ、３ｂ、３ｃ  居間
４ａ、４ｂ、４ｃ  寝室温湿度センサ
５ａ、５ｂ、５ｃ  寝室人感センサ
６ａ、６ｂ、６ｃ  居間温湿度センサ
７ａ、７ｂ、７ｃ  居間人感センサ
８ａ、８ｂ、８ｃ  寝室温湿度センサ信号
９ａ、９ｂ、９ｃ  寝室人感センサ信号
１０ａ、１０ｂ、１０ｃ  居間温湿度センサ信号
１１ａ、１１ｂ、１１ｃ  居間人感センサ信号
１２ａ  １０１号室ホームサーバ
１２ｂ  １０２号室ホームサーバ
１２ｃ  １０３号室ホームサーバ
１３  ネットワーク網
１４  見守りセンタ
１５  データ入出力制御部
１６  ホストコンピュータ
１７  データベース
１８  サービス提供事業者用集中監視端末
１９ａ  １０１号室入居者用表示装置
１９ｂ  １０２号室入居者用表示装置
１９ｃ  １０３号室入居者用表示装置
２０  入力部
２０ａ  １０１号室玄関ドア
２０ｂ  １０２号室玄関ドア
２０ｃ  １０３号室玄関ドア
２１  表示部
２１ａ  １０１号室施錠センサ
２１ｂ  １０２号室施錠センサ
２１ｃ  １０３号室施錠センサ
２２ａ  １０１号室扉外部施錠センサ信号
２２ｂ  １０２号室扉外部施錠センサ信号
２２ｃ  １０３号室扉外部施錠センサ信号
【図１】
2016062360.tif 000003
【図２】
2016062360.tif 000004
【図３】
2016062360.tif 000005
【図４】
2016062360.tif 000006